(57)【要約】      （修正有）【課題】空気の臭気除去を行うための臭気を除去する経路と、音漏れを防ぐための音漏れを抑制する経路とを容易に切替え可能にすることができる画像形成装置を提供する。【解決手段】画像形成部３外部に音が漏れることを抑制して下方に排気する空気経路である遮音経路Ａと、臭気除去を行いリア側Ｒに排気する空気経路である臭気除去経路Ｂとを切替え可能に設け、排気部８０において、遮音経路Ａと臭気除去経路Ｂとのいずれか一方を介して、吸気流路部から吸込んだ空気を画像形成装置１外部へ排出する。【選択図】図２
2015036783.tif 000002
【特許請求の範囲】
【請求項１】
画像を形成する画像形成部と、
本装置から排出される空気または本装置内部の空気を吸気する吸気口部から吸込む空気を排出する第１経路と、当該吸気口部から吸込む空気を当該第１経路とは異なる方向に排出する第２経路とを形成する吸気流路部と、
前記吸気口部から吸気するための空気流を前記吸気流路部に発生させる空気流発生手段と、
着脱可能に設けられて取付けられた際に前記吸気流路部に接続し画像形成の動作に伴って生じる動作音が本装置外部に漏れることを抑制しながら前記第２経路を流れる空気を排出する音漏抑制部材を、当該音漏抑制部材が取付けられた際に保持する音漏抑制部材保持部と、
着脱可能に設けられて取付けられた際に前記吸気流路部に接続し前記第１経路を流れる空気に含まれる臭気を除去して排出する臭気除去部材を、当該臭気除去部材が取付けられた際に保持する臭気除去部材保持部と、
前記音漏抑制部材が取付けられる際に前記第１経路を塞ぐ閉塞部材を、当該閉塞部材が取付けられる際に保持する閉塞部材保持部と、
前記臭気除去部材が取付けられる際に前記第２経路を遮蔽する遮蔽部材を、当該遮蔽部材が取付けられる際に保持する遮蔽部材保持部と、
を備えることを特徴とする画像形成装置。
【請求項２】
前記第１経路は、前記空気流発生手段が発する空気の流れの方向に形成されることを特徴とする請求項１に記載の画像形成装置。
【請求項３】
前記音漏抑制部材は、前記吸気流路部に接続された場合に、本装置の設置面に向けて排気することを特徴とする請求項１又は２に記載の画像形成装置。
【請求項４】
前記音漏抑制部材は、空気を前記空気流発生手段が発する空気の流れの方向とは異なる方向に流した後、本装置の設置面に向けて排気することを特徴とする請求項３に記載の画像形成装置。
【請求項５】
前記音漏抑制部材は、内部に吸音材が設けられることを特徴とする請求項１乃至４の何れかに記載の画像形成装置。
【請求項６】
前記音漏抑制部材は、当該音漏抑制部材が取付けられる場合に前記吸気流路部内部に設置されて臭気除去する内部臭気除去部材を押える押え部を有することを特徴とする請求項１乃至５の何れかに記載の画像形成装置。
【発明の詳細な説明】
【技術分野】
【０００１】
本発明は、画像形成装置に関する。
【背景技術】
【０００２】
画像形成装置において、記録材への像の定着に伴って発生する臭気の除去を行う技術が知られている。公報記載の従来技術として、特許文献１には、エンジンカバーの後方に、上下方向に向けて第１のエアフロー経路を配設し、これとは別に、エンジンカバーの上方に、左右方向に向けて第２のエアフロー経路を配設し、エンジンカバー内の画像形成部や定着部で発生したオゾンや臭い物質などの排気物質を含むエアを、エアフロー経路の吸気口で吸引し、フィルタユニットを通過させて下方の排気口から外部に排出し、排出されたエアを、エアフロー経路の吸気口から吸引し、フィルタを通過させて排気口から排出すると記載されている。
【先行技術文献】
【特許文献】
【０００３】
【特許文献１】特開２００６−１１９４６９号公報
【発明の概要】
【発明が解決しようとする課題】
【０００４】
本発明は、画像形成装置における空気の臭気除去を行うための臭気を除去する経路と、音漏れを防ぐための音漏れを抑制する経路とを容易に切替え可能にすることを目的とする。
【課題を解決するための手段】
【０００５】
請求項１に記載の発明は、画像を形成する画像形成部と、本装置から排出される空気または本装置内部の空気を吸気する吸気口部から吸込む空気を排出する第１経路と、当該吸気口部から吸込む空気を当該第１経路とは異なる方向に排出する第２経路とを形成する吸気流路部と、前記吸気口部から吸気するための空気流を前記吸気流路部に発生させる空気流発生手段と、着脱可能に設けられて取付けられた際に前記吸気流路部に接続し画像形成の動作に伴って生じる動作音が本装置外部に漏れることを抑制しながら前記第２経路を流れる空気を排出する音漏抑制部材を、当該音漏抑制部材が取付けられた際に保持する音漏抑制部材保持部と、着脱可能に設けられて取付けられた際に前記吸気流路部に接続し前記第１経路を流れる空気に含まれる臭気を除去して排出する臭気除去部材を、当該臭気除去部材が取付けられた際に保持する臭気除去部材保持部と、前記音漏抑制部材が取付けられる際に前記第１経路を塞ぐ閉塞部材を、当該閉塞部材が取付けられる際に保持する閉塞部材保持部と、前記臭気除去部材が取付けられる際に前記第２経路を遮蔽する遮蔽部材を、当該遮蔽部材が取付けられる際に保持する遮蔽部材保持部と、を備えることを特徴とする画像形成装置である。
請求項２に記載の発明は、前記第１経路は、前記空気流発生手段が発する空気の流れの方向に形成されることを特徴とする請求項１に記載の画像形成装置である。
請求項３に記載の発明は、前記音漏抑制部材は、前記吸気流路部に接続された場合に、本装置の設置面に向けて排気することを特徴とする請求項１又は２に記載の画像形成装置である。
請求項４に記載の発明は、前記音漏抑制部材は、空気を前記空気流発生手段が発する空気の流れの方向とは異なる方向に流した後、本装置の設置面に向けて排気することを特徴とする請求項３に記載の画像形成装置である。
請求項５に記載の発明は、前記音漏抑制部材は、内部に吸音材が設けられることを特徴とする請求項１乃至４の何れかに記載の画像形成装置である。
請求項６に記載の発明は、前記音漏抑制部材は、当該音漏抑制部材が取付けられる場合に前記吸気流路部内部に設置されて臭気除去する内部臭気除去部材を押える押え部を有することを特徴とする請求項１乃至５の何れかに記載の画像形成装置である。
【発明の効果】
【０００６】
請求項１の発明によれば、画像形成装置における空気の臭気除去を行うための臭気を除去する経路と、音漏れを防ぐための音漏れを抑制する経路とを容易に切替え可能である。
請求項２の発明によれば、本発明を採用しない場合と比較して、吸気流路部から臭気除去部材に向かって空気が流れ易くなり臭気除去効率が向上する。
請求項３の発明によれば、本発明を採用しない場合と比較して、使用者が動作音及び臭気を感知し難くなる方向に排気を行うことができる。
請求項４の発明によれば、本発明を採用しない場合と比較して、音を減衰させるための経路をより長く形成することができる。
請求項５の発明によれば、本発明を採用しない場合と比較して、音漏れをより低減することができる。
請求項６の発明によれば、吸気流路部内部に配置される内部臭気除去部材の取付けが容易になる。
【図面の簡単な説明】
【０００７】
【図１】画像形成装置の全体構成図である。
【図２】画像形成装置の後ろ側から見た図である。
【図３】画像形成装置内部の空気流路を説明するための図である。
【図４】吸気流路部のリア側と下方排気ダクト部との内部の構成を説明するための図である。
【図５】吸気流路部のリア側と外付臭気フィルタ部との内部の構成を説明するための図である。
【発明を実施するための形態】
【０００８】
以下、添付図面を参照して、本発明の実施形態について詳細に説明する。
図１は、本実施形態が適用される画像形成装置１の全体構成図である。
なお、本実施形態では、図１に示す画像形成装置１の紙面手前側をフロント側Ｆ、紙面奧側をリア側Ｒとして以下の説明を行う。
画像形成装置１は、図１に示すように、用紙等の原稿を読み取る画像読取部２と、画像形成部の一例としての画像形成を行う画像形成部３とを備える。
画像読取部２は、画像形成部３の上側に設けられ、原稿から読み取った画像データを画像形成部３等に送る。画像形成部３は、例えば画像読取部２等から入力される画像データに基づいて画像形成を行う画像形成プロセス部１０と、画像形成部３の装置全体を覆う装置筐体４０と、吸気流路部の一例としての空気を吸気し流路に流す吸気流路部５０と、吸気流路部５０の空気を排気する排気部８０とを備える。
【０００９】
画像形成プロセス部１０は、図１に示すように、４つの画像形成ユニット１１（１１Ｙ、１１Ｍ、１１Ｃ、１１Ｋ）が備えられている。各画像形成ユニット１１は、静電潜像を形成してトナー像を保持する感光体ドラム１２、感光体ドラム１２の表面を帯電する帯電器１３、帯電器１３によって帯電された感光体ドラム１２を画像データに基づいて露光する露光装置１４、感光体ドラム１２上に形成された静電潜像を現像する現像器１５、及び転写後の感光体ドラム１２表面を清掃するクリーナ１６を備えている。
なお、各画像形成ユニット１１は、現像器１５に収容されるトナーを除いて同様に構成され、各画像形成ユニット１１は、それぞれがイエロー（Ｙ）、マゼンタ（Ｍ）、シアン（Ｃ）、黒（Ｋ）のトナー像を形成する。
【００１０】
画像形成プロセス部１０は、各画像形成ユニット１１の感光体ドラム１２に形成された各色トナー像が多重転写される中間転写ベルト２０と、各画像形成ユニット１１にて形成された各色トナー像を中間転写ベルト２０に転写(一次転写)する一次転写ロール２１と、を備えている。そして、画像形成プロセス部１０は、中間転写ベルト２０上に重畳して転写された各色トナー像を用紙に一括転写(二次転写)する二次転写部２２と、二次転写された各色トナー像を用紙に定着させる定着装置３０と、を備えている。
【００１１】
定着装置３０は、内部に熱源を備えた加熱ロール３１と、加熱ロール３１との間に用紙を挟み込んで用紙に圧力を加える加圧ロール３２と、加熱ロール３１及び加圧ロール３２が収容される定着装置３０の筐体３３とを備えている。そして、定着装置３０は、加熱ロール３１及び加圧ロール３２によって、トナー像が転写された用紙に熱と圧力とを付与して、用紙にトナー像を定着させる。また、本実施形態において、筐体３３は、加熱ロール３１及び加圧ロール３２の周囲の空気を排出するための開口を備える。
装置筐体４０は、図１に示すように、トナー像が定着されて排出された用紙が積載される用紙積載部４１と、板状部材により形成されて画像読取部２を支えるフレームを覆う側部カバー４２とを備えている。
【００１２】
図１に示す画像形成装置１が画像形成動作を開始すると、画像読取部２や外部の他の装置等から入力され画像処理が施された画像データは、画像形成プロセス部１０の各画像形成ユニット１１に送られる。そして、各画像形成ユニット１１では、感光体ドラム１２が回転しながら帯電され、走査露光されることにより静電潜像が形成される。そして、感光体ドラム１２上には、形成された静電潜像は現像器１５により現像され、感光体ドラム１２上にトナー像が形成される。
【００１３】
各画像形成ユニット１１で形成されたトナー像は、回転駆動される中間転写ベルト２０上に、一次転写ロール２１により順次静電吸引され、各色トナーが重畳された重畳トナー像が形成される。そして、中間転写ベルト２０上の重畳トナー像は、二次転写部２２に搬送され、搬送された用紙に、二次転写部２２が形成する転写電界の作用により重畳トナー像が一括して静電転写される。
その後、重畳トナー像が静電転写された用紙は、定着装置３０まで搬送され、定着装置３０によって熱及び圧力による定着処理を受けて重畳トナー像が定着される。そして、定着画像が形成された用紙は、画像形成装置１の用紙積載部４１に排出される。また、二次転写後に中間転写ベルト２０に付着しているトナー(転写残トナー)は、ベルトクリーナ２３によって除去される。
【００１４】
ところで、画像形成部３は、画像形成動作における定着の際にトナー及び用紙が加熱されることで臭気が発生する場合がある。また、画像形成部３は、画像形成動作に伴って各装置が動作し音が生じ得る。そこで、本実施形態において、吸気流路部５０では、図１に示すように、臭気を含んだ定着装置３０の周囲の空気を第１開口部５１ａから吸気し、臭気を含んだ用紙積載部４１の周囲の空気を第２開口部５２ａから吸気する。そして、吸気流路部５０は、吸込んだ空気を複数のダクトを介して排気部８０へと流す。
そして、排気部８０では、吸気流路部５０の空気が画像形成装置１外部へと排出される。本実施形態における排気部８０は、後述する通り、画像形成部３外部に音が漏れることを抑制して下方に排気する空気経路である遮音経路Ａと、さらに強力な臭気除去を行いリア側Ｒに排気する空気経路である臭気除去経路Ｂとを選択的に切替え可能に設けられる。このように、本実施形態の画像形成装置１では、排気部８０において、遮音経路Ａと臭気除去経路Ｂとのいずれか一方を介して、吸気流路部５０から吸込んだ空気を画像形成装置１外部へと排出する。
【００１５】
図２は、本実施形態が適用される画像形成装置１の後ろ側から見た図である。
排気部８０は、図２に示すように、本実施形態において、下方にて排気して画像形成部３外部への音漏れを防ぐ遮音経路Ａを形成する音漏抑制部材の一例としての下方排気ダクト部８１と、画像形成部３のリア側Ｒに排気して強力な臭気除去を行う臭気除去経路Ｂを形成する臭気除去部材の一例としての外付臭気フィルタ部８２とを備えて構成する。そして、下方排気ダクト部８１及び外付臭気フィルタ部８２は、いずれか一方が装置筐体４０に取付けられる。
【００１６】
また、装置筐体４０は、取付用の溝と穴とから構成される外付臭気フィルタ部８２を取付けるための臭気除去部材保持部の一例としての外付フィルタ取付部４３、取付用の穴から構成される閉塞部材の一例としてのフタ５７０を保持するための閉塞部材保持部の一例としてのフタ保持部４４、取付用の穴により構成される下方排気ダクト部８１を取付けるための音漏抑制部材保持部の一例としての下方排気ダクト取付部４６及び遮蔽部材の一例としての遮蔽板５６０が嵌め込まれて保持する遮蔽部材保持部の一例としての遮蔽板保持部５６０Ｈとが設けられている。
【００１７】
下方排気ダクト部８１は、下方に向いてダクトが形成され画像形成部３の装置筐体４０の側方に着脱可能に設けられる。具体的には、下方排気ダクト部８１は、ピン８１３を用いて、装置筐体４０に設けられる下方排気ダクト取付部４６に取付けられる。また、下方排気ダクト部８１が取付けられる際には、フタ５７０（後述）は、装置外部からルーバ５７を覆うようにフタ保持部４４に対してピンを用いて取付けられる。さらに、下方排気ダクト部８１は、内部にウレタン等の吸音材が付されている。
そして、下方排気ダクト部８１は、吸気流路部５０の空気を下方排気ダクト部８１からの音漏れを抑制して下方に排気する遮音経路Ａを形成する。
【００１８】
外付臭気フィルタ部８２は、装置筐体４０のリア側Ｒに設けられる外付フィルタ取付部４３に対してルーバ５７を覆うように着脱可能に設けられる。具体的には、装置筐体４０のリア側Ｒに配置される後述するフタ５７０をフタ保持部４４から取外した後、外付臭気フィルタ部８２は、突出部及びピンを用いて、外付フィルタ取付部４３に取付けられる。また、外付臭気フィルタ部８２を取付ける際には、遮蔽板５６０（後述）は、装置筐体４０の側方に設けられる遮蔽板保持部５６０Ｈに取付けられる。さらに、外付臭気フィルタ部８２は、強力に臭気除去する外付フィルタ８２２（後述）が内部に設けられる。
そして、外付臭気フィルタ部８２は、下方排気ダクト部８１を介して空気を排出するよりも、強力に臭気除去して空気をリア側Ｒから排出する臭気除去経路Ｂを形成する。
なお、下方排気ダクト部８１及び外付臭気フィルタ部８２の詳細な構成については後に説明する。
【００１９】
引き続いて、本実施形態の吸気流路部５０及び排気部８０の構成について詳細に説明する。
図３は、本実施形態の画像形成装置１内部の空気流路を説明するための図である。
図４は、本実施形態の吸気流路部５０のリア側Ｒと下方排気ダクト部８１との内部の構成を説明するための図である。
図５は、本実施形態の吸気流路部５０のリア側Ｒと外付臭気フィルタ部８２との内部の構成を説明するための図である。
なお、図３及び図５では、実線で下方排気ダクト部８１を装置筐体４０に取付けた状態を表し、破線では、説明の便宜上、外付臭気フィルタ部８２を取付けた状態を表している。
【００２０】
＜吸気流路部の構成・機能＞
吸気流路部５０は、図３に示すように、定着装置３０の筐体３３に沿ってリア側Ｒに延びて形成される第１内部ダクト５１と、上下方向に延びて形成されて第１内部ダクト５１と下方で接続する第２内部ダクト５２と、第２内部ダクト５２の上方と接続し第１内部ダクト５１よりリア側Ｒに延びて形成される第３内部ダクト５３と、第３内部ダクト５３と接続して装置筐体４０のリア側Ｒ及び側方まで延びて形成される後方ダクト５５と、空気流発生手段の一例としての排気ファン５０Ｆとを備える。
第１内部ダクト５１は、定着装置３０の筐体３３に設けられる開口と対峙する位置に第１開口部５１ａを備える。
第２内部ダクト５２は、第１内部ダクト５１と第３内部ダクト５３とをつないで形成され、側部カバー４２（図１参照）に排気ファン５０Ｆと対峙して設けられる第２開口部５２ａを備える。
第３内部ダクト５３は、図４及び図５に示すように、排気ファン５０Ｆのリア側Ｒに排気ファン５０Ｆ、触れることを防ぐためのファンガード５３１、空気のごみや埃等を取り除くためのフィルタ５３２、及びフィルタ５３２を押えるためのフィルタ押え５３２ａを備える。ここで、フィルタ５３２には、臭気の元となる物質を吸着する材料が用いることができ、例えば活性炭やゼオライトなどが挙げられる。さらに、第３内部ダクト５３は、第３内部ダクト５３の空気を後方ダクト５５に排気する内部ダクト開口部５３ａを備える。
【００２１】
後方ダクト５５は、画像形成部３の側方に後方ダクト５５の空気を排出する後方ダクト開口部５６と、リア側Ｒに後方ダクト５５の空気を排出するルーバ５７と、図４に示すように、空気を後方ダクト開口部５６へとガイドする流路ガイド５５２と、着脱可能に設けられ、空気の臭気等を除去するための内部臭気除去部材の一例としての内蔵フィルタ部５５１とが設けられる。
後方ダクト開口部５６は、図５に示すように、装置筐体４０に設けられる遮蔽板保持部５６０Ｈに対して遮蔽板５６０を嵌め込み、後方ダクト５５の排気を遮蔽するための遮蔽板５６０を着脱可能に設けられる。
そして、後方ダクト開口部５６には、外付臭気フィルタ部８２を用いて排気を行う場合、後方ダクト開口部５６からの空気の排出を遮断するために遮蔽板５６０が取付けられる。
【００２２】
ルーバ５７は、図４に示すように、ルーバ５７の装置内側または外側に、空気の排出を防ぐためのフタ５７０が着脱可能に設けられる。そして、ルーバ５７には、下方排気ダクト部８１を用いて遮音経路Ａの流れによる排気を行う場合、ルーバ５７を介した空気の排出を防ぐためフタ５７０が取付けられる。
【００２３】
内蔵フィルタ部５５１は、空気の臭気を取り除くための内蔵フィルタ５５１ａと、内蔵フィルタ５５１ａを押える内蔵フィルタ押え５５１ｂとを備える。また、本実施形態では、内蔵フィルタ部５５１は、外付臭気フィルタ部８２を用いて排気を行う場合には、装置から取外される構成としている。
流路ガイド５５２は、後方ダクト５５から内蔵フィルタ部５５１に接触しない程度に延び、後方ダクト開口部５６に近付く程、幅が狭くなる板状部材により形成される。また、流路ガイド５５２は、この板状部材を単数または複数に並べて構成される。
【００２４】
＜排気部の詳細な説明＞
下方排気ダクト部８１は、図３に示すように、側方から下方に湾曲して形成される側方ダクト８１１と、側方ダクト８１１と接続し下方に延びて形成される下方ダクト８１２とから構成される。
側方ダクト８１１は、下方排気ダクト部８１が後方ダクト５５に取付けられた状態において、後方ダクト５５と接続して形成される。また、側方ダクト８１１は、図４に示すように、内部側面に内蔵フィルタ押え５５１ｂを支持するための押え部の一例としての支持部材８１１ａを備える。
支持部材８１１ａは、板状部材が上下方向に複数または単数設けられて構成される。そして、下方排気ダクト部８１が装置に取付けられた状態において内蔵フィルタ押え５５１ｂに対して突き当てることで内蔵フィルタ押え５５１ｂを支持する。また、支持部材８１１ａは、下方排気ダクト部８１を装置筐体４０に取付ける際、流路ガイド５５２に内蔵フィルタ部５５１がガイドされながら、内蔵フィルタ部５５１を奥まで押し入れて支持する。
下方ダクト８１２は、空気を装置外部に排気する下方排気口８１２ａを有する。
【００２５】
外付臭気フィルタ部８２は、図５に示すように、内蔵フィルタ５５１ａと比較して臭気除去力が強力である外付フィルタ８２２を有する外付ダクト８２１と、外付フィルタ８２２を取付ける外付ダクト８２１を流れる空気を排気する後方排気口８２１ａとを備える。
外付ダクト８２１は、画像形成部３が後方ダクト５５に取付けられた状態において、後方ダクト５５と接続する。
【００２６】
＜吸気流路部及び排気部の空気の流れ＞
ここで、吸気流路部５０及び排気部８０の空気の流れについて説明する。
まず、画像形成装置１外部への音漏れを抑制する遮音経路Ａについて説明する。
図３に示すように、排気ファン５０Ｆを動作させると、臭気を含んだ定着装置３０周囲の空気は、第１開口部５１ａから第１内部ダクト５１に吸込まれ、第２内部ダクト５２を介して第３内部ダクト５３へと流れていく。また、第３内部ダクト５３では、用紙積載部４１（図１参照）の周囲の空気が第２開口部５２ａから排気ファン５０Ｆに吸込まれ、第２内部ダクト５２から流れ込む空気と合流する。そして、第３内部ダクト５３に流れ込んだ空気は、ファンガード５３１及びフィルタ５３２を通過してごみや埃等が除去された後、内部ダクト開口部５３ａから後方ダクト５５に排出される。
【００２７】
下方排気ダクト部８１を用いて排気する場合、第３内部ダクト５３から後方ダクト５５へと流れ込んだ空気は、図４に示すように、内蔵フィルタ部５５１によってさらに臭気が除去される。そして、後方ダクト５５の空気は、フタ５７０に衝突してリア側Ｒから側方へと進路を変える。また、後方ダクト５５の空気は、流路ガイド５５２にガイドされて後方ダクト開口部５６に向かい、側方ダクト８１１へと流れる。
そして、図３に示すように、側方ダクト８１１に流れた空気は、側方ダクト８１１の側面に衝突して、下方へと進路を変えて下方ダクト８１２へと流れる。そして、下方ダクト８１２の空気は、下方排気口８１２ａから画像形成装置１外部へと排出される。
【００２８】
このように、下方排気ダクト部８１では、空気を装置の下方に向けて排出するため、ルーバ５７から空気を排出する従来構成よりも、ユーザの鼻や耳から遠ざかり臭気や音によるユーザの不快感を低減する。また、下方排気ダクト部８１の内部には、吸音材が付されて下方排気ダクト部８１からの音漏れを抑制する。さらに、下方排気ダクト部８１では、空気が側方に流れた後下方へと流れて排出される。そのため、一方向のみに空気を流す経路よりも経路が長くなり音がより減衰される。
また、下方排気ダクト部８１は、側方に設けられるため、リア側Ｒに延びて空気流路を設ける場合と比較して、画像形成装置１の奥行きが小さい構成となる。
【００２９】
次に、より強力な臭気除去を行う臭気除去経路Ｂについて説明する。
また、外付臭気フィルタ部８２を用いて排気する場合、図３及び図５に示すように、第３内部ダクト５３から後方ダクト５５へと流れ込んだ空気はリア側Ｒに流れる。そして、図５に示すように、後方ダクト５５の空気は、ルーバ５７から外付臭気フィルタ部８２の外付ダクト８２１へと流れ込む。外付ダクト８２１に流れ込んだ空気は、外付フィルタ８２２を通過することで臭気が強力に取り除かれて、後方排気口８２１ａから画像形成装置１外部へと排出される。
このように、本実施形態では、遮蔽板５６０を配置することで、外付フィルタ８２２が設けられるリア側Ｒよりも、外付フィルタ８２２が設けられておらず空気が流れやすい側方ダクト８１１に後方ダクト５５の空気が流れることを抑制する。そのため、本実施形態の画像形成部３では、強力な臭気除去力を有する外付臭気フィルタ部８２を取付け可能な構成となる。
【００３０】
また、外付フィルタ８２２の十分な臭気除去力を得るためには、下方排気ダクト部８１の断面積よりも大きな面積が必要となる。そのため、下方排気ダクト部８１にフィルタを設ける場合には、装置の側方や奥行が大きくなる。それに対して、外付臭気フィルタ部８２の場合、装置筐体４０の背面に面して外付フィルタ８２２を設けるため、外付フィルタ８２２の面積を大きくしても下方排気ダクト部８１の場合と比べて装置が大きくならない。
さらに、本実施形態において、リア側Ｒに空気を排出する臭気除去経路Ｂは、外付フィルタ８２２を設けた場合の遮音経路Ａよりもスムーズに空気が流れる。
【００３１】
以上のように、本実施形態では、遮蔽板５６０及びフタ５７０を着脱可能に構成することで、下方排気ダクト部８１が形成する画像形成部３からの音漏れを抑制するための遮音経路Ａと、外付臭気フィルタ部８２が形成する強力な臭気除去力を得るための臭気除去経路Ｂとを目的に応じて容易に切替可能な構成となる。さらに、ルーバ５７から画像形成部３内の空気を排出する従来の画像形成部３に対して、簡易に下方排気ダクト部８１、外付臭気フィルタ部８２、遮蔽板５６０及びフタ５７０を取付可能な構成である。
【００３２】
なお、本実施形態のフタ５７０は、装置筐体４０の装置外部側にフタ保持部４４を設ける構成の他、後方ダクト５５内部にフタ５７０を滑らせて差込んで設置するためのガイドを設けてもよい。このように、装置内側にフタ５７０を設ける場合は、ルーバ５７が外観を形成する。また、ルーバ５７は、他のもう１つのルーバをルーバ５７と重ね合わせて配置し、羽板の方向を互いに逆方向となるように切替えてルーバ５７からの空気の排出を防ぐ構成としてもよい。この場合、フタ５７０は予め設けておいても良い。
【符号の説明】
【００３３】
１…画像形成装置、４３…外付フィルタ取付部、４４…フタ保持部、４６…下方排気ダクト取付部、５５…後方ダクト、５６…後方ダクト開口部、５７…ルーバ、８１…下方排気ダクト部、８２…外付臭気フィルタ部、５６０…遮蔽板、５６０Ｈ…遮蔽板保持部、５７０…フタ
【図１】
2015036783.tif 000003
【図２】
2015036783.tif 000004
【図３】
2015036783.tif 000005
【図４】
2015036783.tif 000006
【図５】
2015036783.tif 000007